(57)【特許請求の範囲】
【請求項１】
外部からの入力電力で充電される二次電池を着脱可能に保持し、且つ、当該二次電池との間で電力の授受を行う電池保持手段と、
前記入力電力を前記電池保持手段以外の電気回路へ出力する電力供給手段と、
を有する電気機器において、
前記二次電池が前記電池保持手段に装着されているか否かを検出する検出手段と、
前記二次電池が前記電池保持手段に装着されていないとき、前記入力電力を前記二次電池の充電電圧に基づいて予め定められる一定電圧の電力に変換して前記電力供給手段を介して前記電気回路へ出力させる電圧変換手段と、
を有することを特徴とする電気機器。
【請求項２】
請求項１に記載された電気機器において、
前記二次電池を充電するための端子位置における端子間電圧を測定する電圧測定手段を更に有し、
前記検出手段は、前記端子間電圧に基づいて前記二次電池が前記電池保持手段に装着されているか否かを検出する
ことを特徴とする電気機器。
【請求項３】
請求項１又は請求項２に記載された電気機器において、
前記電圧変換手段は、前記二次電池が前記電池保持手段に装着されていないとき、前記入力電力を前記二次電池の充電電圧に基づいて予め定められる一定電圧の電力まで下げて前記電力供給手段を介して前記電気回路へ出力させることを特徴とする電気機器。
【請求項４】
外部からの入力電力で充電される二次電池を着脱可能に保持し、且つ、当該二次電池との間で電力の授受を行う電池保持手段と、
前記入力電力を前記電池保持手段以外の電気回路へ出力する電力供給手段と、
を有する電気機器における電力供給制御方法において、
前記二次電池が前記電池保持手段に装着されているか否かを検出する検出工程と、
前記二次電池が前記電池保持手段に装着されていないとき、前記入力電力を前記二次電池の充電電圧に基づいて予め定められる一定電圧の電力に変換して前記電力供給手段を介して前記電気回路へ出力させる電圧変換工程と、
を有することを特徴とする電気機器における電力供給制御方法。
【請求項５】
外部からの入力電力で充電される二次電池を着脱可能に保持し、且つ、当該二次電池との間で電力の授受を行う電池保持手段と、
前記入力電力を前記電池保持手段以外の電気回路へ出力する電力供給手段と、
を有する電気機器に含まれるコンピュータを、
前記二次電池が前記電池保持手段に装着されているか否かを検出する検出手段と、
前記二次電池が前記電池保持手段に装着されていないとき、前記入力電力を前記二次電池の充電電圧に基づいて予め定められる一定電圧の電力に変換して前記電力供給手段を介して前記電気回路へ出力させる電圧変換制御手段と、
として機能させることを特徴とする電気機器における電力供給制御プログラム。
【発明の詳細な説明】
【技術分野】
【０００１】
本願は、電気機器及び電気機器における電力供給制御方法、電気機器における電力供給制御プログラムの技術分野に属し、特に、家庭用親子電話機の子機などのように、着脱可能な二次電池を装着して充電する電気機器の技術分野に属する。
【背景技術】
【０００２】
従来から、二次電池を有する電気機器において、過大電圧や過大電流に起因した破壊から電子デバイスを保護するための保護回路に関する技術は紹介されていた（例えば、特許文献１参照）。
【特許文献１】特開２００２−１１８９５７号公報  二次電池を有する電気機器において過大電圧や過大電流に起因した破壊から電子デバイスを保護するための保護回路として考えられる技術の一例を図１に示すブロック図を用いて説明する。
【０００３】
図１に示すように、電気機器１は、外部から充電端子１１を介して入力される充電用直流電力を検知する電力検知回路１２と、電力の供給又は遮断をするスイッチ回路１３と、スイッチ回路１３を介して入力された電力が電池ホルダ１６及び他の電気回路２０に過電圧を印加しないようにツェナーダイオード１４と、スイッチ回路１３を介して入力された電力を電池ホルダ１６及び他の電気回路２０に出力し、或いは、充電池１７から取り出された電力を他の電気回路２０に出力するレギュレータ１５と、充電池１７を着脱可能に保持し、且つ、充電池１７との間で電力の授受を行う電池ホルダ１６と、電池ホルダ１６の充電池１７を充電するための端子位置における端子間電圧を測定する電圧測定回路１８と、端子間電圧に基づいて、充電池１７の充電状況を判断する制御回路１９と、充電池１７が充電完了状態であると制御回路１９が判断するとき、電池ホルダ１６への電力の供給を遮断するようスイッチ回路１３を制御する制御回路１９と、を有する。
【０００４】
そして、図１に示す技術は、充電池１７を装着しない状態で誤って電気機器１の充電を開始した場合や、電池ホルダ１６の充電用端子における接触不良、断線その他の理由により充電池１７と電気機器１とが正常に接続されていない状態で電気機器１に過大電圧が印加されると、その過大電圧に起因した大電流は保護回路としてのツェナーダイオード１４に流れて、ＩＣのような電子デバイスを含むレギュレータ１５及び他の電気回路２０に流れることを抑制すると共に、ツェナーダイオード１４に並列に接続されているＩＣの端子間電圧を、そのツェナーダイオード１４の降伏電圧程度の一定の電圧に保つ。これにより、過大電圧の印加に起因した破壊や劣化などからＩＣのような電子デバイスを保護することができると考えられる。
【発明の開示】
【発明が解決しようとする課題】
【０００５】
しかしながら、図１に示す技術には、（１）誤って充電池１７を装着しない状態で電気機器１の充電を開始し大電流が流れても破壊しない大容量のツェナーダイオードは大きく高価である。（２）ツェナーダイオードは過大電圧が印加されない通常の動作では全く使用しない部品であるにもかかわらず高コストである。（３）過大電圧が印加されたときのツェナーダイオードの発熱を考慮してスペースを確保する必要がある。などの問題を有しており、電気機器の小型化、軽量化、ローコスト化には障害となり得る。
【０００６】
本願は上記の各問題点に鑑みてなされたものであって、その課題の一例は、誤って二次電池を装着しない状態で電気機器の充電を開始しても、ツェナーダイオードのような高価な部品を使用することなく、電気機器の構成部品を保護することができる電気機器を提供することにある。
【課題を解決するための手段】
【０００７】
以下、本願について説明する。なお、本願の理解を容易にするために添付図面の参照符号を括弧書きにて付記するが、それにより本願が図示の形態に限定されるものではない。
【０００８】
上記の課題を解決するために、請求項１に記載の家庭用親子電話機の子機（２）などの電気機器は、外部からの入力電力で充電される充電池（１７）などの二次電池を着脱可能に保持し、且つ、二次電池との間で電力の授受を行う電池ホルダ（１６）などの電池保持手段と、入力電力を電池保持手段以外の他の電気回路（２０）などの電気回路へ出力するレギュレータ（１５）などの電力供給手段と、を有し、二次電池が電池保持手段に装着されているか否かを検出する電圧測定回路（１８），制御回路（１９），充電池検知回路（２９）などの検出手段と、二次電池が電池保持手段に装着されていないとき、入力電力を二次電池の充電電圧に基づいて予め定められる一定電圧の電力に変換して電力供給手段を介して電気回路へ出力させる電圧変換回路（２４）などの電圧変換手段と、を有することを特徴とする。
【０００９】
上記の課題を解決するために、請求項４に記載の発明は、外部からの入力電力で充電される充電池（１７）などの二次電池を着脱可能に保持し、且つ、二次電池との間で電力の授受を行う電池ホルダ（１６）などの電池保持手段と、入力電力を電池保持手段以外の他の電気回路（２０）などの電気回路へ出力するレギュレータ（１５）などの電力供給手段と、を有する家庭用親子電話機の子機（２）などの電気機器の充電方法において、二次電池が電池保持手段に装着されているか否かを検出する検出工程と、二次電池が電池保持手段に装着されていないとき、入力電力を二次電池の充電電圧に基づいて予め定められる一定電圧の電力に変換して電力供給手段を介して電気回路へ出力させる電圧変換工程と、を有することを特徴とする。
【００１０】
上記の課題を解決するために、請求項５に記載の家庭用親子電話機の子機（２）等の電気機器の充電プログラムは、外部からの入力電力で充電される充電池（１７）などの二次電池を着脱可能に保持し、且つ、二次電池との間で電力の授受を行う電池ホルダ（１６）などの電池保持手段と、入力電力を電池保持手段以外の他の電気回路（２０）などの電気回路へ出力するレギュレータ（１５）などの電力供給手段と、を有する電気機器に含まれる制御回路（１９）などのコンピュータを、二次電池が電池保持手段に装着されているか否かを検出する検出手段と、二次電池が電池保持手段に装着されていないとき、入力電力を二次電池の充電電圧に基づいて予め定められる一定電圧の電力に変換して電力供給手段を介して電気回路へ出力させる電圧変換制御手段と、として機能させることを特徴とする。
【発明を実施するための最良の形態】
【００１１】
次に、本願に対応する最良の実施形態について、図面に基づいて説明する。
【００１２】
本願は、例えば、家庭用親子電話機の子機のように、着脱可能な二次電池としての充電池を内蔵し充電する機能を有する電気機器に適用可能である。よって、本実施の形態では、本願を家庭用親子電話機の子機に適用した場合を例にして以下に説明する。
【００１３】
図２に本実施の形態に係る子機２の内部回路の構成を示す簡易ブロック図を示す。図１と共通する部分には同一符号を付し、それらの説明は省略する。過電圧保護回路として機能するツェナーダイオード１４に替えて、スイッチ回路１３が電圧変換回路２４を備えている点が従来技術と相違する。
【００１４】
家庭用親子電話機の子機２は、外部からの入力電力で充電される充電池１７を着脱可能に保持し、且つ、充電池１７との間で電力の授受を行う電池ホルダ１６と、入力電力を他の電気回路２０へ出力するレギュレータ１５と、を有し、充電池１７が充電可能な状態であるか否かを検出する電圧測定回路１８及び制御回路１９と、充電池１７が充電可能な状態ではないとき、入力電力を充電池１７の充電電圧に基づいて予め定められる一定電圧の電力に変換してレギュレータ１５を介して他の電気回路２０へ出力させる電圧変換回路２４と、を有することを特徴とする。
【００１５】
そして、子機２は、外部から充電用直流電力の入力を受け入れる充電端子１１と、外部からの電力の入力を検知する電力検知回路１２と、外部からの電力の供給又は遮断をするスイッチ回路１３と、を有し、制御回路１９は、充電池１７を充電するための端子位置における端子間電圧に基づいて充電池１７の接続状況を判断し、充電池１７が充電可能な状態ではないと判断するとき、電圧変換回路２４は入力電力を一定電圧の電力に変換して出力する。
【００１６】
ここで、外部から供給される充電用電力とは、例えば、商用電源コンセント付近に設けられた変圧器及び整流器（図示省略）において直流変換され整流されて供給される電力をいう。
【００１７】
充電端子１１は、子機２が充電スタンド（図示省略）にセットされたときに充電スタンドから充電用直流電力の入力を受け入れる。
【００１８】
電力検知回路１２は、入力された充電用電力の有無を検知して検知信号として制御回路１９に出力する。
【００１９】
スイッチ回路１３は、抵抗、トランジスタ、ダイオードなどで構成され、充電スタンドからの充電用電力の供給又は遮断をする。
【００２０】
レギュレータ１５は、スイッチ回路１３を介して入力された充電用電力を電池ホルダ１６及び子機２内の他の電気回路２０に出力し、且つ、充電池１７から取り出された電力を他の電気回路２０に出力する。
【００２１】
電池ホルダ１６は、充電池１７を着脱可能に保持し、充電スタンドから供給される充電用電力を充電池１７に伝えている。
【００２２】
充電池１７は、例えば、ニッカド電池又はニッケル水素電池、リチウム充電池等で構成され、充電用電力を蓄えると共に、蓄えた電力をレギュレータ１５を介して制御回路１９及び他の電気回路２０へ供給する。
【００２３】
電圧測定回路１８は、電池ホルダ１６における充電池１７を充電するための端子位置における端子間電圧を測定し端子間電圧値として制御回路１９に出力する。
【００２４】
制御回路１９は、例えば、ＣＰＵ（Ｃｅｎｔｒａｌ  Ｐｒｏｃｅｓｓｉｎｇ  Ｕｎｉｔ：中央情報処理装置）で構成され、電力検知回路１２から入力された検知信号に基づいて充電用電力が供給されているか否かを判断する。また、電圧測定回路１８が測定した端子間電圧に基づいて、充電池１７の接続状況と充電池１７の充電完了状況とを判断する。そして、充電用電力が供給されているとき、制御回路１９はスイッチ回路１３をＯＮ（導通）制御する。充電池１７が充電可能な状態ではないとき、制御回路１９は電圧変換回路２４を動作させてスイッチ回路１３を定電圧動作させる。充電池１１の充電が完了しているとき、制御回路１９は満充電状態で待機するためトリクル充電を行わせたり、過充電による充電池１７に生じる危険を回避するためにスイッチ回路１３をＯＦＦ（接続断）制御する。
【００２５】
ここで、充電池１７が充電可能な状態ではないとは、充電池１７を装着しない状態で誤って電気機器１の充電を開始した場合の他に、電池ホルダ１６の充電用端子における接触不良、断線その他の理由により充電池１７と電気機器１とが正常に接続されていない状態を含む。
【００２６】
他の電気回路２０は、ＩＣのような電子デバイスを含む子機２内の電気回路一般を指す。
【００２７】
電圧変換回路２４は、抵抗、トランジスタなどで構成され、充電スタンドから供給される充電用電力を一定電圧の電力に変換して出力する。
【００２８】
尚、ここで、例えば、本実施の形態における子機２は本願に係る電気機器を、レギュレータ１５は本願に係る電力供給手段を、電池ホルダ１６は本願に係る電池保持手段を、充電池１７は本願に係る二次電池を、電圧測定回路１８は本願に係る電圧測定手段及び検出手段を、制御回路１９は本願に係る検出手段を、他の電気回路２０は本願に係る電気回路を、電圧変換回路２４は本願に係る電圧変換手段を、それぞれ構成する。
【００２９】
次に、以上の構成を有する子機２の動作を以下に説明する。
【００３０】
先ず、子機２に充電池１７が装着された状態で充電スタンドにセットされ、充電用電力が供給された場合を説明する。
【００３１】
外部から入力される充電用電力は充電端子１１を介して子機２に供給される。電力検知回路１２において充電用電力の有無が検知され、充電用電力が供給された旨の検知信号が制御回路１９へ出力される。
【００３２】
検知信号を受けた制御回路１９は、スイッチ回路１３が導通状態になるように、スイッチ回路１３のトランジスタＱ２に対して充電制御信号としてＯＦＦ（接続断）信号を出力する。トランジスタＱ２にＯＦＦ信号が入力されたスイッチ回路１３は導通状態となり、充電用電力は逆流防止用ダイオードを介してレギュレータ１５及び電池ホルダ１６へ供給され、充電池１７は充電される。また、レギュレータ１５を介して制御回路１９及び他の電気回路２０へ駆動用電力として供給される。
【００３３】
電圧測定回路１８は、電池ホルダ１６における充電池１７充電用の端子位置における端子間電圧値を常に測定し制御回路１９に出力しており、充電池１７の充電が完了していると判断したとき、スイッチ回路１３のトランジスタＱ２に対して充電制御信号としてＯＮ（導通）信号を出力し、スイッチ回路１３は下流側のレギュレータ１５及び電池ホルダ１６に対する充電用電力の供給を遮断する。
【００３４】
一方、スイッチ回路１３に遮断されて充電用電力の供給がなくなったレギュレータ１５は、充電池１７からの電力の供給を受けて制御回路１９及び他の電気回路２０に対して駆動用電力の供給を継続する。
【００３５】
次に、子機２に充電池１７が装着されない状態で充電スタンドにセットされ、充電用電力が供給された場合を説明する。
【００３６】
外部から入力される充電用電力が、スイッチ回路１３及び逆流防止用ダイオードを介してレギュレータ１５及び電池ホルダ１６へ供給され、電圧測定回路１８が端子間電圧値を制御回路１９へ出力する点は、充電池１７が装着された状態で充電用電力が供給された場合と同じである。
【００３７】
電圧測定回路１８から入力された端子間電圧値に基づいて、電池ホルダ１６に充電池１７がセットされていないと判断したとき、制御回路１９は電圧変換回路２４に対してＯＦＦ信号を出力する。
【００３８】
ＯＦＦ信号を入力された電圧変換回路２４のトランジスタＱ４は接続断状態となり、充電用電力の電圧を下げるように作用する。そして、レギュレータ１５には低下した電圧の電力が印加される。
【００３９】
次に、電圧測定回路が出力する端子間電圧値に基づいて制御回路１９が行う判断に関して電圧値の変化をもとに説明する。
【００４０】
図３に、充電池１７を装着した子機２に充電用電力が入力されたときの電圧変化曲線（実線）と、充電池１７を装着しない状態のときの電圧変化曲線（破線）とを示す。ここでは定電流充電を例に説明する。
【００４１】
通常、充電器１７が放電した状態で充電を開始するとき図２の実線で示す電圧変化特性を示す。即ち、初期状態において充電池１７の端子間電圧は低い値（この例では０（ゼロ））を示すが、充電が開始すると共に電圧は上に凸の自然関数（ｅ関数）の曲線となって充電される。即ち、単位時間当たりの供給電力は、充電スタンド内（図示省略）のＡＣアダプタ（図示省略）の出力電圧Ｖと充電池１７の実際の端子間電圧との差に比例する。そして、充電池１７は仕様によって定められる最大充電量Ｖｅまで充電される。定電流充電では、充電末期においても一定電流が供給されるので、制御回路１９は、電圧測定回路１８が出力する端子間電圧値に基づいて充電完了を認識し、過充電防止のためにスイッチ回路１３をＯＦＦ制御する。
【００４２】
一方、充電池１７を装着しないとき、電池ホルダ１６側の端子間電圧は、図２の破線で示すように、充電スタンドが供給する充電用電力の電圧Ｖｉを接続直後からを示す（正確には、逆流防止用のダイオードの順方向降下電圧を引いた電圧値を示すが、以下の説明ではこれを無視する）。
【００４３】
即ち、子機２に充電池１７が装着されているときの電圧変化特性は図２の実線で示すように変化し、その最大値は充電池１７の仕様によって決定する最大端子電圧Ｖｅであり、一方、充電池１７を装着していないときの電圧変化特性は破線で示すように変化し、充電開始直後から充電用電力の電圧Ｖｉに一致する。よって、充電池１７が装着されているか否かの判断基準としての閾値閾値をＶｉとＶｅとの間に設定したとき、充電開始直後に電圧測定回路１８が検出する端子間電圧がこの閾値よりも大きいときは充電池１７が装着されていないと判断することができ、この閾値よりも低い値を示すときには充電池１７が装着されていると判断することができる。
【００４４】
次に、電圧変換回路２４が行う充電用電力の電圧降下作用を説明する。
【００４５】
通常は充電池１７が装着された状態で子機２は充電スタンドにセットされるので、初期状態においては、外部から供給される充電用電力で充電池１７が充電できるように接続してある。即ち、トランジスタＱ２はＯＦＦ状態でトランジスタＱ４はＯＮ状態としてある。外部から充電端子１１を介して充電用電力の入力がされると、抵抗Ｒ１を介してトランジスタＱ３にはＯＮ信号が入力されるのでトランジスタＱ１はＯＮ状態となり、よってスイッチ回路１３は導通状態となって、充電用電力は逆流防止用ダイオードを介してレギュレータ１５及び電池ホルダ１６へ供給される。
【００４６】
電圧測定回路１８から入力された端子間電圧値に基づいて、充電池１７がセットされていないと制御回路１９が判断した場合、制御回路１９は電圧変換回路２４のトランジスタＱ４に対してＯＦＦ信号を出力し、スイッチ回路１３を定電圧動作に切り換える。
【００４７】
ＯＦＦ信号を入力されたトランジスタＱ４は接続断状態となり、電力検出回路１８を介して入力される充電用電力の電圧を下げるように作用する。そして、レギュレータ１５には低下した電圧の電力が印加される。
【００４８】
ダイオードＤ１，Ｄ２の順方向降下電圧をいずれもＶｆとし、ベースとエミッタとの間の降下電圧がＶｆであるトランジスタＱ３を採用したとき、図２中の点（１）における電圧は２×Ｖｆである。点（２）における電圧は、点（１）における電圧に対してトランジスタＱ３のベースとエミッタとの間の降下電圧Ｖｆ分だけ下であるから、（２×Ｖｆ−Ｖｆ＝）Ｖｆである。抵抗Ｒ４には電位差Ｖｆが掛かるので、点（３）における電圧はＶｆ×（Ｒ３＋Ｒ４）／Ｒ４という抵抗比で表される定電圧であることが判る。よって、レギュレータ１５にかかる点（４）における電圧は、点（３）における電圧からＶｆ下がった値であるから、Ｖｆ×（Ｒ３＋Ｒ４）／Ｒ４−Ｖｆとなる。即ち、充電スタンドが供給する充電用電力の電圧は一定であるから、充電池１７が装着された状態においてレギュレータ１５に掛かる電圧と同じ電圧が、充電池１７が装着されない状態でもレギュレータ１５に掛かるような抵抗値の抵抗Ｒ３，Ｒ４を採用することで、充電用電力の電圧を予め定めた一定電圧に変換でき、同時に過電圧を防止することが可能になる。
【００４９】
以上に説明した子機２の充電時の一連の動作を、図４に示すフローチャートに従って説明する。
【００５０】
子機２が充電スタンドにセットされて制御回路１９がリセットされた状態において本フローチャートに示す処理が開始する。
【００５１】
電力検知回路１２が充電用電力の入力を検知しないとき（ステップＳ１：Ｎ）、親機（図示省略）との通信の待機状態など子機２としての通常の動作を実行し、充電用電力の検知を継続する。
【００５２】
一方、電力検知回路１２が充電用電力の入力を検知したとき（ステップＳ１：Ｙ）、電力検知回路１２は制御回路１９に検知信号を出力する。検知信号の入力を受けた制御回路１９は、スイッチ回路１３の初期化を行う。具体的にはトランジスタＱ２に対してＯＦＦ信号を出力し、トランジスタＱ４に対して充電制御信号としてＯＮ信号を出力する（ステップＳ２）。
【００５３】
続いて、電池ホルダ１６の端子間電圧の電圧測定を行う（ステップＳ３）。具体的には、電圧測定回路１８が電池ホルダ１６の端子間電圧を測定し、端子間電圧値を制御回路１９に対して出力する。
【００５４】
端子間電圧値が入力された制御回路１９は、端子間電圧値に基づいて充電池１７が充電可能状態であるか否かを判断する（ステップＳ４）。
【００５５】
充電池１７が充電可能状態であると判断したとき（ステップＳ４：Ｙ）、定電圧ＯＦＦ制御を行う（ステップＳ５）。具体的には、トランジスタＱ４に対してＯＮ信号を出力する。
【００５６】
続いて、通常の充電動作を継続して行う（ステップＳ６）。この通常の充電動作は充電入力がある限り（ステップＳ７：Ｙ）継続される。
【００５７】
一方、ステップＳ４において、充電池１７が充電可能状態ではないと判断されたとき（ステップＳ４：Ｎ）、定電圧動作をＯＮする。具体的には、トランジスタＱ４に対して充電制御信号としてＯＦＦ信号を出力する。この定電圧動作は充電入力が続く限り（ステップＳ９：Ｙ）継続される。
【００５８】
そして、ステップＳ７及びＳ９のいずれも場合も、充電入力が終了した時点で本動作は終了する。
【００５９】
ここで、本実施の形態においては、例えば、ステップＳ４の処理が実行されることにより請求項５に記載の「検出手段」が、ステップＳ８の処理が実行されることにより請求項５に記載の「電圧変換制御手段」が実現される。
【００６０】
以上に説明したように、誤って充電池１７を装着しない状態で子機２を充電スタンドにセットして充電を開始しても、大容量ツェナーダイオードのような大きくしかも高価な部品を使用することなく、レギュレータ１５及び他の電気回路２０などの子機２内の構成部品を保護することができ、子機２の製造原価を低く抑えることができ、子機２のサイズダウンを図ることができる。
【００６１】
なお、本願の実施形態は上記に限定されるものではなく、例えば以下のように変形してもよい。
【００６２】
上記本実施の形態では、電圧測定回路１８が出力する端子間電圧値に基づいて（ステップＳ３）、電池ホルダ１６に充電池１７が装着されているか否かを制御回路１９が判断しているが（ステップＳ４）、これに限定されるわけではなく、例えば、二次電池検知手段の一例としての充電池検知回路２９が制御回路１９に対して出力する検知信号に基づいて、充電池１７が装着されていないと判断するようにしてもよい。この場合、上記図４に示すフローチャートのステップＳ３に相当する工程において、充電池１７が電池ホルダ１６に装着されているか否かを充電池検知回路２９が検知して検知信号を制御回路１９へ出力し、上記ステップＳ４に相当する工程において制御回路１９が入力された検知信号に基づいて充電池１７が電池ホルダ１６に装着されているか否かを判断する。
【００６３】
上記本実施の形態では、スイッチ回路１３は、順方向降下電圧Ｖｆの２個のダイオードＤ１，Ｄ２を順列接続した構成であるが、図５に示すように、この２個のダイオードを１個の抵抗Ｒ２に置き換えることも可能である。子機２は専用の充電スタンドにセットされるので外部から供給される充電電力の電圧は予め想定できるからである。また、レギュレータの耐電圧に余裕がある場合も同様に抵抗Ｒ２に置き換えることができる。回路を更に簡略化することができ、子機２の製造原価を下げることが可能となる。
【００６４】
また、２つのダイオードＤ１，Ｄ２を１個のツェナーダイオードに置き換えることも可能である。保護用のツェナーダイオードを削除するために、置き換えに使用するツェナーダイオードは小型で安価な部品を採用することが可能である。子機２全体でとして製造原価、或いは、子機２のサイズを小型化できるなどのメリットがある場合が考えられる。
【００６５】
更に、上記実施の形態では、トランジスタＱ２，Ｑ４などを独立した部品として表現し説明をしてきたが、これに限定されるわけではなく、制御回路１９として使用するＣＰＵのポートに余裕があれば、ＣＰＵのポートを使用することも可能である。更なる部品の削除が可能となり、子機２の製造原価を更に低減させることが可能となる。
【００６６】
また、図４に示したフローチャートに対応するプログラムをフレキシブルディスク又はハードディスク等の情報記録媒体に記録しておき、又は当該プログラムをインターネット等のネットワーク、または電話回線を介して配信して記録しておき、これを上記子機２の制御回路１９に備えられている汎用のマイクロコンピュータ等により読み出して実行させることにより、当該各マイクロコンピュータ等を夫々上記制御回路１９として機能させることも可能である。
【００６７】
更に、上記本実施の形態では家庭用親子電話機の子機に適用した場合を例にして説明をしたが、これに限定されるものではなく、着脱可能な二次電池としての充電池を内蔵し充電する機能を有する電気機器であれば適用可能である。
【図面の簡単な説明】
【００６８】
【図１】図１は、従来技術に係る回路図の概略を示す。
【図２】図２は、本実施の形態に係る回路図の概略を示す。
【図３】図３は、充電用電力が入力されたときの電圧変化曲線を示す。
【図４】図４は、子機２の充電時の動作の処理フローを示す。
【図５】図５は、変形例に係る回路図の概略を示す。
【符号の説明】
【００６９】
２  子機
３  子機
１５  レギュレータ
１６  電池ホルダ
１７  充電池
１８  電圧測定回路
１９  制御回路
２０  他の電気回路
２４  電圧変換回路
２９  充電池検知回路
【図１】
0004447560.tif 000002
【図２】
0004447560.tif 000003
【図３】
0004447560.tif 000004
【図４】
0004447560.tif 000005
【図５】
0004447560.tif 000006